(57)【特許請求の範囲】
【請求項１】
ユーザインターフェースを有する無線通信設定装置に対してユーザが指定した相手装置に、通信接続する無線通信装置であって、
送信元と通信接続していない装置が受信可能な報知信号により送信された認証情報を受信する通信部と、
前記認証情報を用いて、前記相手装置に通信接続するように、前記通信部を制御する制御部と
を備え、
前記認証情報は、前記相手装置において前記無線通信装置の認証を行うために使用される認証情報である無線通信装置。
【請求項２】
前記通信部は、前記認証情報を、前記無線通信設定装置から受信する、請求項１に記載の無線通信装置。
【請求項３】
前記通信部は、前記認証情報を、前記相手装置から受信する、請求項１に記載の無線通信装置。
【請求項４】
前記通信部は、自装置が起動されると前記認証情報の要求を報知信号により送信する、請求項２または請求項３に記載の無線通信装置。
【請求項５】
ユーザインターフェースを有する無線通信設定装置に対してユーザが指定した相手装置に、前記無線通信設定装置を介して無線通信接続する無線通信装置であって、
前記無線通信設定装置からの接続要求であって、認証情報を含む接続要求を受信する無線通信部と、
予め記憶していた認証情報と、前記接続要求に含まれる認証情報とを照合し、照合結果を含む応答を、前記無線通信部に送信させる制御部と、
前記無線通信設定装置と有線で接続する接触式Ｉ／Ｆとを備え、
前記相手装置から前記無線通信設定装置を介して無線で取得したデータを前記接触式Ｉ／Ｆ介して前記無線通信設定装置に有線で送信することを特徴とする無線通信装置。
【請求項６】
ユーザインターフェースを有する無線通信設定装置に対してユーザが指定した相手装置に、前記無線通信設定装置を介して無線通信接続する無線通信装置であって、
前記無線通信設定装置からの接続要求であって、認証情報を含む接続要求を受信する無線通信部と、
予め記憶していた認証情報と、前記接続要求に含まれる認証情報とを照合し、照合結果を含む応答を、前記無線通信部に送信させる制御部と、
前記無線通信設定装置と有線で接続する接触式Ｉ／Ｆとを備え、
前記無線通信設定装置から前記接触式Ｉ／Ｆを介して有線で取得したデータを前記無線通信設定装置を介して前記相手装置に無線で送信することを特徴とする無線通信装置。
【請求項７】
自装置に対してユーザが指定した相手装置に無線通信装置を通信接続させる無線通信設定装置であって、
前記相手装置に通信接続するための認証情報を、送信元と通信接続していない装置が受信可能な報知信号により送信する通信部
を備え、
前記認証情報は、前記相手装置において前記無線通信装置の認証を行うために使用される認証情報である無線通信設定装置。
【請求項８】
前記通信部は、前記認証情報を要求する報知信号を受信し、
前記通信部が前記認証情報を要求する報知信号を受信すると、前記通信部に、前記認証情報を報知信号により送信させる制御部を備える、
請求項７に記載の無線通信設定装置。
【請求項９】
自装置に対してユーザが指定した相手装置および無線通信装置と無線で通信する無線通信部と、
前記無線通信装置と無線通信接続するための認証情報を含む接続要求を、前記無線通信装置に宛てて、前記無線通信部に送信させ、前記相手装置と無線通信接続するための認証情報を含む接続要求を、前記相手装置に宛てて、前記無線通信部に送信させる制御部と、
前記無線通信装置と有線で接続する接触式Ｉ／Ｆとを備え、
前記制御部が、前記相手装置から無線通信で取得したデータを前記無線通信装置に宛てて、前記無線通信部に送信させ、前記無線通信装置からの応答を、前記接触式Ｉ／Ｆを介して取得することを特徴とする無線通信設定装置。
【請求項１０】
自装置に対してユーザが指定した相手装置および無線通信装置と無線で通信する無線通信部と、
前記無線通信装置と無線通信接続するための認証情報を含む接続要求を、前記無線通信装置に宛てて、前記無線通信部に送信させ、前記相手装置と無線通信接続するための認証情報を含む接続要求を、前記相手装置に宛てて、前記無線通信部に送信させる制御部と、
前記無線通信装置と有線で接続する接触式Ｉ／Ｆとを備え、
前記制御部が、自装置から前記無線通信装置に宛てて、前記接触式Ｉ／Ｆを介して送信したデータを前記無線通信装置から無線通信で再取得し、前記相手装置に宛てて、前記無線通信部に送信させることを特徴とする無線通信設定装置。
【請求項１１】
ユーザインターフェースを有する無線通信設定装置に対してユーザが指定した相手装置に、通信接続する無線通信装置における接続方法であって、
送信元と通信接続していない装置が受信可能な報知信号により送信された認証情報を受信するステップと、
前記認証情報を用いて、前記相手装置に通信接続するステップと
を有し、
前記認証情報は、前記相手装置において前記無線通信装置の認証を行うために使用される認証情報である接続方法。
【請求項１２】
自装置に対してユーザが指定した相手装置に無線通信装置を通信接続させる無線通信設定装置における接続方法であって、
前記相手装置に通信接続するための認証情報を、送信元と通信接続していない装置が受信可能な報知信号により送信するステップ
を有し、
前記認証情報は、前記相手装置において前記無線通信装置の認証を行うために使用される認証情報である接続方法。
【請求項１３】
ユーザインターフェースを有する無線通信設定装置に対してユーザが指定した相手装置に、通信接続する無線通信装置のコンピュータに、
前記無線通信装置に、送信元と通信接続していない装置が受信可能な報知信号により送信された認証情報を受信させるステップと、
前記認証情報を用いて、前記相手装置に通信接続するステップと
を実行させるためのプログラムであって、
前記認証情報は、前記相手装置において前記無線通信装置の認証を行うために使用される認証情報であるプログラム。
【請求項１４】
自装置に対してユーザが指定した相手装置に無線通信装置を通信接続させる無線通信設定装置のコンピュータに、
前記無線通信設定装置に、前記相手装置に通信接続するための認証情報を、送信元と通信接続していない装置が受信可能な報知信号により送信させるステップ
を実行させるためのプログラムであって、
前記認証情報は、前記相手装置において前記無線通信装置の認証を行うために使用される認証情報であるプログラム。
【発明の詳細な説明】
【技術分野】
【０００１】
本発明は、無線通信装置、無線通信設定装置、接続方法、およびプログラムに関する。
【背景技術】
【０００２】
従来、携帯端末、携帯電話、パーソナルコンピュータ、デジタル音響機器などのデバイス間の無線接続を認証する無線認証装置がある。特許文献１には、それぞれのデバイスと無線接続を行う通信手段と、制御手段で使用する認証制御用データを記憶する記憶手段とを有し、それぞれのデバイス間の接続を制御する無線認証装置が開示されている。
【先行技術文献】
【特許文献】
【０００３】
【特許文献１】特開２００５−２２９５９７号公報
【発明の概要】
【発明が解決しようとする課題】
【０００４】
しかしながら、従来の無線認証装置においては、無線通信装置である各デバイスと通信接続するため、通信接続を複数回繰り返すことになり、デバイス同士を通信接続させるのに時間を要してしまうことがあるという問題がある。
【０００５】
本発明は、このような事情に鑑みてなされたもので、無線通信装置同士の通信接続に要する時間を短くすることができる無線通信装置、無線通信設定装置、接続方法、およびプログラムを提供する。
【課題を解決するための手段】
【０００６】
（１）この発明は上述した課題を解決するためになされたもので、本発明の一態様は、ユーザインターフェースを有する無線通信設定装置に対してユーザが指定した相手装置に、通信接続する無線通信装置であって、送信元と通信接続していない装置が受信可能な報知信号により送信された認証情報を受信する通信部と、前記認証情報を用いて、前記相手装置に通信接続するように、前記通信部を制御する制御部とを備える無線通信装置である。
【０００７】
（２）また、本発明の他の態様は、（１）に記載の無線通信装置であって、前記通信部は、前記認証情報を、前記無線通信設定装置から受信する。
【０００８】
（３）また、本発明の他の態様は、（１）に記載の無線通信装置であって、前記通信部は、前記認証情報を、前記相手装置から受信する。
【０００９】
（４）また、本発明の他の態様は、（２）または（３）に記載の無線通信装置であって、前記通信部は、自装置が起動されると前記認証情報の要求を報知信号により送信する。
【００１０】
（５）また、本発明の他の態様は、ユーザインターフェースを有する無線通信設定装置に対してユーザが指定した相手装置に、前記無線通信設定装置を介して無線通信接続する無線通信装置であって、前記無線通信設定装置からの接続要求であって、認証情報を含む接続要求を受信する無線通信部と、予め記憶していた認証情報と、前記接続要求に含まれる認証情報とを照合し、照合結果を含む応答を、前記無線通信部に送信させる制御部と前記無線通信設定装置と、有線で接続する接触式Ｉ／Ｆとを備え、前記相手装置から前記無線通信設定装置を介して無線で取得したデータを前記接触式Ｉ／Ｆ介して前記無線通信設定装置に有線で送信することを特徴とする無線通信装置である。
【００１１】
（６）また、本発明の他の態様は、ユーザインターフェースを有する無線通信設定装置に対してユーザが指定した相手装置に、前記無線通信設定装置を介して無線通信接続する無線通信装置であって、前記無線通信設定装置からの接続要求であって、認証情報を含む接続要求を受信する無線通信部と、予め記憶していた認証情報と、前記接続要求に含まれる認証情報とを照合し、照合結果を含む応答を、前記無線通信部に送信させる制御部と、前記無線通信設定装置と有線で接続する接触式Ｉ／Ｆとを備え、前記無線通信設定装置から前記接触式Ｉ／Ｆを介して有線で取得したデータを前記無線通信設定装置を介して前記相手装置に無線で送信することを特徴とする無線通信装置である。
【００１２】
（７）また、本発明の他の態様は、自装置に対してユーザが指定した相手装置に無線通信装置を通信接続させる無線通信設定装置であって、前記相手装置に通信接続するための認証情報を、送信元と通信接続していない装置が受信可能な報知信号により送信する通信部を備える無線通信設定装置である。
【００１３】
（８）また、本発明の他の態様は、（７）に記載の無線通信設定装置であって、前記通信部は、前記認証情報を要求する報知信号を受信し、前記通信部が前記認証情報を要求する報知信号を受信すると、前記通信部に、前記認証情報を報知信号により送信させる制御部を備える。
【００１４】
（９）また、本発明の他の態様は、自装置に対してユーザが指定した相手装置および無線通信装置と無線で通信する無線通信部と、前記無線通信装置と無線通信接続するための認証情報を含む接続要求を、前記無線通信装置に宛てて、前記無線通信部に送信させ、前記相手装置と無線通信接続するための認証情報を含む接続要求を、前記相手装置に宛てて、前記無線通信部に送信させる制御部と、前記無線通信装置と有線で接続する接触式Ｉ／Ｆとを備え、前記制御部が、前記相手装置から無線通信で取得したデータを前記無線通信装置に宛てて、前記無線通信部に送信させ、前記無線通信装置からの応答を、前記接触式Ｉ／Ｆを介して取得することを特徴とする無線通信設定装置である。
【００１５】
（１０）また、本発明の他の態様は、自装置に対してユーザが指定した相手装置および無線通信装置と無線で通信する無線通信部と、前記無線通信装置と無線通信接続するための認証情報を含む接続要求を、前記無線通信装置に宛てて、前記無線通信部に送信させ、前記相手装置と無線通信接続するための認証情報を含む接続要求を、前記相手装置に宛てて、前記無線通信部に送信させる制御部と、前記無線通信装置と有線で接続する接触式Ｉ／Ｆとを備え、前記制御部が、自装置から前記無線通信装置に宛てて、前記接触式Ｉ／Ｆを介して送信したデータを前記無線通信装置から無線通信で再取得し、前記相手装置に宛てて、前記無線通信部に送信させることを特徴とする無線通信設定装置である。
【００１６】
（１１）また、本発明の他の態様は、ユーザインターフェースを有する無線通信設定装置に対してユーザが指定した相手装置に、通信接続する無線通信装置をおける接続方法であって、送信元と通信接続していない装置が受信可能な報知信号により送信された認証情報を受信するステップと、前記認証情報を用いて、前記相手装置に通信接続するステップとを有する接続方法である。
【００１７】
（１２）また、本発明の他の態様は、自装置に対してユーザが指定した相手装置に無線通信装置を通信接続させる無線通信設定装置における接続方法であって、前記相手装置に通信接続するための認証情報を、送信元と通信接続していない装置が受信可能な報知信号により送信するステップを有する接続方法である。
【００１８】
（１３）また、本発明の他の態様は、ユーザインターフェースを有する無線通信設定装置に対してユーザが指定した相手装置に、通信接続する無線通信装置のコンピュータに、前記無線通信装置に、送信元と通信接続していない装置が受信可能な報知信号により送信された認証情報を受信させるステップと、前記認証情報を用いて、前記相手装置に通信接続するステップとを実行させるためのプログラムである。
【００１９】
（１４）また、本発明の他の態様は、自装置に対してユーザが指定した相手装置に無線通信装置を通信接続させる無線通信設定装置のコンピュータに、前記無線通信設定装置に、前記相手装置に通信接続するための認証情報を、送信元と通信接続していない装置が受信可能な報知信号により送信させるステップを実行させるためのプログラムである。
【発明の効果】
【００２０】
この発明によれば、無線通信装置同士の通信接続に要する時間を短くすることができる。
【図面の簡単な説明】
【００２１】
【図１】この発明の第１の実施形態による無線通信システム１の構成を示す概略ブロック図である。
【図２】同実施形態における無線通信設定装置１０の構成を示す概略ブロック図である。
【図３】同実施形態における無線通信装置２０の構成を示す概略ブロック図である。
【図４】同実施形態における無線通信装置３０の構成を示す概略ブロック図である。
【図５】同実施形態における無線通信システム１の動作例を示すシーケンス図である。
【図６】同実施形態における無線通信システム１の別の動作例を示すシーケンス図である。
【図７】同実施形態における表示画面例Ｄ１を表示している無線通信設定装置１０の外観図である。
【図８】同実施形態における表示画面例Ｄ２を表示している無線通信設定装置１０の外観図である。
【図９】同実施形態における表示画面例Ｄ３を表示している無線通信設定装置１０の外観図である。
【図１０】同実施形態における表示画面例Ｄ４を表示している無線通信設定装置１０の外観図である。
【図１１】同実施形態における無線通信設定装置１０の動作を説明するフローチャートである。
【図１２】同実施形態の変形例１ａにおける無線通信システム１の動作例を示すシーケンス図である。
【図１３】同実施形態の変形例２ａにおける無線通信設定装置１０ａの構成を示す概略ブロック図である。
【図１４】同実施形態の変形例２ａにおける無線通信システム１の動作例を示すシーケンス図である。
【図１５】同実施形態の変形例３ａにおける無線通信システム１の動作例を示すシーケンス図である。
【図１６】同実施形態の変形例４ａにおける無線通信設定装置１０ｂの構成を示す概略ブロック図である。
【図１７】この発明の第２の実施形態における無線通信システム１の動作例を示すシーケンス図である。
【図１８】同実施形態の変形例１ｂにおける無線通信システム１の動作例を示すシーケンス図である。
【図１９】同実施形態の変形例２ｂにおける無線通信システム１の動作例を示すシーケンス図である。
【発明を実施するための形態】
【００２２】
［第１の実施形態］
以下、図面を参照して、本発明の第１の実施形態について説明する。図１は、本実施形態による無線通信システム１の構成を示す概略ブロック図である。無線通信システム１は、通信接続システム２、無線通信装置３０（相手装置）を含む。通信接続システム２は、無線通信設定装置１０、無線通信装置２０を含む。なお、無線通信装置３０は、複数であってもよい。
【００２３】
通信接続システム２は、無線通信装置２０を、無線通信装置３０に認証させて、無線通信装置２０と無線通信装置３０とを通信接続させる。無線通信設定装置１０は、例えば、無線ＬＡＮ、Ｚｉｇｂｅｅ（登録商標）、Ｂｌｕｅｔｏｏｔｈ（登録商標）などによる、少なくとも無線通信装置２０との通信機能を有する。無線通信設定装置１０は、無線通信装置３０のリストの中から無線通信装置２０を通信接続させる無線通信装置３０を指定する、ユーザによる操作入力を受け付ける。無線通信設定装置１０は、この操作入力により指定された無線通信装置３０に通信接続する際に必要となる認証情報（例えば、無線通信装置３０のアドレス、接続ＰＩＮ（Personal Identification Number）、ＩＤ、パスワードなど）を、無線通信装置２０に無線送信する。このとき、無線通信設定装置１０は、無線通信設定装置１０と無線通信装置２０とで予め共有している事前共有鍵で、認証情報を暗号化しておく。
【００２４】
無線通信装置２０は、例えば、無線ＬＡＮ、Ｚｉｇｂｅｅ（登録商標）、Ｂｌｕｅｔｏｏｔｈ（登録商標）などによる、無線通信設定装置１０および無線通信装置３０との通信機能を有する。無線通信装置２０は、上述した無線通信設定装置１０から送信された認証情報を受信する。この認証情報は暗号化されているので、無線通信装置２０は、無線通信設定装置１０と無線通信装置２０とで予め共有している事前共有鍵で、復号する。無線通信装置２０は、復号した認証情報を用いて、無線通信装置３０と通信接続する。
【００２５】
無線通信装置３０は、例えば、無線ＬＡＮ、Ｚｉｇｂｅｅ（登録商標）、Ｂｌｕｅｔｏｏｔｈ（登録商標）などによる無線通信装置３０との通信機能を有する。無線通信装置３０は、無線通信装置２０を認証して、無線通信装置２０と通信接続する。なお、無線通信装置３０は、自装置の存在を他装置に報知するための信号を送信していてもよい。無線通信設定装置１０は、この信号を受信することで、周囲に存在する無線通信装置３０のリストを生成し、そのリストの中から、無線通信装置２０を通信接続させる無線通信装置３０を指定する操作入力を受け付けるようにしてもよい。
【００２６】
図２は、無線通信設定装置１０の構成を示す概略ブロック図である。無線通信設定装置１０は、アンテナ１１、無線信号処理部１２（通信部）、制御部１３、メモリ１４、外部入力Ｉ／Ｆ１５（ユーザインターフェース）、外部出力Ｉ／Ｆ１６を含む。アンテナ１１は、例えば、無線ＬＡＮ、Ｚｉｇｂｅｅ（登録商標）、Ｂｌｕｅｔｏｏｔｈ（登録商標）などによる無線通信を行うための無線信号を送受信するアンテナである。無線信号処理部１２は、例えば、無線ＬＡＮ、Ｚｉｇｂｅｅ（登録商標）、Ｂｌｕｅｔｏｏｔｈ（登録商標）などによる無線通信を行うための無線信号を処理する。制御部１３は、ＣＰＵ（Central Processing Unit）を有し、メモリ１４が記憶するプログラムを読み出して実行することで、無線通信設定装置１０全体を制御する。メモリ１４は、制御部１３が実行するプログラムと、データとを記憶する。本実施形態におけるメモリ１４は、無線通信装置２０との事前共有鍵１４１と、無線通信装置３０各々の認証情報１４２とを記憶している。
【００２７】
外部入力Ｉ／Ｆ１５は、例えば、タッチパネル、入力キーなどの入力デバイスを有し、ユーザによる操作入力を受け付ける。上述した、無線通信装置３０のリストの中から無線通信装置２０を通信接続させる無線通信装置３０を指定する操作入力は、外部入力Ｉ／Ｆ１５が受け付ける。外部出力Ｉ／Ｆ１６は、例えば、液晶ディスプレイ、有機ＥＬディスプレイなどの出力デバイスを有し、ユーザに情報を提示する。上述した無線通信装置３０のリストは、外部出力Ｉ／Ｆ１６が表示する。
【００２８】
図３は、無線通信装置２０の構成を示す概略ブロック図である。無線通信装置２０は、アンテナ２１、無線信号処理部２２（通信部）、制御部２３、メモリ２４を含む。アンテナ２１は、例えば、無線ＬＡＮ、Ｚｉｇｂｅｅ（登録商標）、Ｂｌｕｅｔｏｏｔｈ（登録商標）などによる無線通信を行うための無線信号を送受信するアンテナである。無線信号処理部２２は、例えば、無線ＬＡＮ、Ｚｉｇｂｅｅ（登録商標）、Ｂｌｕｅｔｏｏｔｈ（登録商標）などによる無線通信を行うための無線信号を処理する。制御部２３は、ＣＰＵ（Central Processing Unit）を有し、メモリ２４が記憶するプログラムを読み出して実行することで、無線通信装置２０全体を制御する。メモリ２４は、制御部２３が実行するプログラムと、データとを記憶する。本実施形態におけるメモリ２４は、無線通信設定装置１０との事前共有鍵２４１を記憶している。
【００２９】
図４は、無線通信装置３０の構成を示す概略ブロック図である。無線通信装置３０は、アンテナ３１、無線信号処理部３２（通信部）、制御部３３、メモリ３４を含む。アンテナ３１は、例えば、無線ＬＡＮ、Ｚｉｇｂｅｅ（登録商標）、Ｂｌｕｅｔｏｏｔｈ（登録商標）などによる無線通信を行うための無線信号を送受信するアンテナである。無線信号処理部３２は、例えば、無線ＬＡＮ、Ｚｉｇｂｅｅ（登録商標）、Ｂｌｕｅｔｏｏｔｈ（登録商標）などによる無線通信を行うための無線信号を処理する。制御部３３は、ＣＰＵ（Central Processing Unit）を有し、メモリ３４が記憶するプログラムを読み出して実行することで、無線通信装置３０全体を制御する。メモリ３４は、制御部３３が実行するプログラムと、データとを記憶する。本実施形態におけるメモリ３４は、無線通信装置３０の認証情報３４１を記憶している。
【００３０】
図５は、無線通信システム１の動作例を示すシーケンス図である。図５に示す動作例では、まず、無線通信設定装置１０の制御部１３が、無線通信装置３０のリストを外部出力Ｉ／Ｆ１６に表示する。そして、外部入力Ｉ／Ｆ１５が、そのリストの中から無線通信装置２０を通信接続させる無線通信装置３０を指定する、ユーザによる操作入力を取得すると、制御部１３は、指定された無線通信装置３０の認証情報１４２をメモリ１４から読み出す（Ｓａ１）。
【００３１】
なお、その無線通信装置３０が初めて指定されたときなど、その無線通信装置３０の認証情報をメモリ１４が記憶していないときは、制御部１３は、外部出力Ｉ／Ｆ１６に認証情報の入力をユーザに促す画面を表示させる。制御部１３は、外部入力Ｉ／Ｆ１５を用いて、ユーザが入力した認証情報を取得し、メモリ１４に記憶させる。なお、無線通信装置３０の認証情報は、例えば、無線通信装置３０の筐体、パッケージなどに予め記載されており、ユーザは、この記載されている認証情報を読み取って、入力する。
【００３２】
次に、制御部１３は、メモリ１４から事前共有鍵１４１を読み出し、ステップＳａ１にて読み出した認証情報１４２を、この事前共有鍵１４１で暗号化する（Ｓａ２）。制御部１３は、無線信号処理部１２に、ステップＳａ２にて暗号化した認証情報を、アンテナ１１を用いて送信させる（Ｓａ３）。この送信には、例えば、Ｂｌｕｅｔｏｏｔｈ（登録商標）におけるアドバタイズ（Advertise）、無線ＬＡＮにおけるビーコン（Beacon）など、送信元と通信接続していない装置が受信可能な報知信号による送信を用いる。このように報知信号を用いているので、無線通信設定装置１０と、無線通信装置２０との間で、通信接続するための信号を送受信する必要がない。このため、無線通信装置２０と無線通信装置３０とが通信接続するまでの時間を、短くすることができる。また、認証情報は、無線通信設定装置１０と無線通信装置２０との間で共有している事前共有鍵を用いて暗号化されている。これにより、認証情報が、他の装置により取得されてしまう危険性を低く抑えることができる。
【００３３】
無線通信装置２０の無線信号処理部２２は、ステップＳａ３にて送信された認証情報をアンテナ２１を用いて受信する。制御部２３は、事前共有鍵２４１をメモリ２４から読み出し、無線信号処理部２２が受信した認証情報を、事前共有鍵２４１を用いて復号する（Ｓａ４）。制御部２３は、無線信号処理部２２に、無線通信装置３０への接続要求を、アンテナ２１を用いて送信させる（Ｓａ５）。
【００３４】
無線通信装置３０の無線信号処理部３２は、ステップＳａ５にて送信された接続要求を、アンテナ３１を用いて受信する。制御部３３は、無線信号処理部３２に、この接続要求に対する応答を、アンテナ３１を用いて送信させる（Ｓａ６）。この後、無線通信装置２０と無線通信装置３０との間で、通信接続するための複数の信号の授受を行う（Ｓａ７）。このとき無線通信装置２０から送信される信号には、ステップＳａ４にて復号された認証情報が含まれる。また、無線通信装置３０から送信される信号には、無線通信装置２０から送信された認証情報と、メモリ３４が記憶する認証情報３４１との照合結果が含まれる。無線通信装置２０と無線通信装置３０との間で、通信接続が成立すると、無線通信装置２０と無線通信装置３０との間でデータの授受が行われる（Ｓａ８）。
【００３５】
なお、本実施形態では、無線通信装置２０と無線通信装置３０とは、ステップＳａ５と、ステップＳａ６とにより通信接続しているが、これに限らない。これら以外に、ステップＳａ７におけるデータ授受を行う際に必要なパラメータの交換を行ってもよい。あるいは、ステップＳａ５にて全ての認証情報を送信するのではなく、認証情報の項目毎に、複数回に渡って送信してもよい。
【００３６】
図６は、無線通信システム１の別の動作例を示すシーケンス図である。同図において、図５の各部に対応する部分には同一の符号（Ｓａ１〜Ｓａ８）を付し、説明を省略する。図５では、ステップＳａ１にてメモリ１４から読み出した認証情報１４２を用いて、無線通信装置２０が無線通信装置３０に通信接続する場合の動作例を示したが、図６では、認証情報の少なくとも一部（例えば、接続ＰＩＮ）をユーザが入力し、無線通信装置３０に設定する場合の動作例を示す。
【００３７】
図６では、ステップＳａ１とステップＳａ２との間に、ステップＳａ１−１からＳａ１−５の処理を行う。ステップＳａ１の後、無線通信設定装置１０の制御部１３は、無線信号処理部１２に、無線通信装置３０への接続要求を、アンテナ１１を用いて送信させる（Ｓａ１−１）。無線通信装置３０の無線信号処理部３２は、ステップＳａ１−１にて送信された接続要求を、アンテナ３１を用いて受信する。制御部３３は、無線信号処理部３２に、この接続要求に対する応答を、アンテナ３１を用いて送信させる（Ｓａ１−２）。この後、無線通信設定装置１０と無線通信装置３０との間で、通信接続するための複数の信号の授受を行う（Ｓａ１−３）。このとき無線通信設定装置１０から送信される信号には、ステップＳａ１にて読み出された認証情報１４２が含まれる。また、無線通信装置３０から送信される信号には、無線通信設定装置１０から送信された認証情報１４２と、メモリ３４が記憶する認証情報３４１との照合結果が含まれる。
【００３８】
無線通信設定装置１０と無線通信装置３０との間で通信接続が成立すると、制御部１３は、外部入力Ｉ／Ｆ１５により入力された情報を、認証情報の少なくとも一部の項目（以降、接続ＰＩＮの場合を例にとり説明する）として設定する接続ＰＩＮ設定要求を、無線信号処理部１２にアンテナ１１を用いて送信させる（Ｓａ１−４）。制御部１３は、この接続ＰＩＮを、メモリ１４の認証情報１４２にも登録する。
【００３９】
無線通信装置３０の無線信号処理部３２は、ステップＳａ１−４にて送信された接続ＰＩＮ設定要求を、アンテナ３１を用いて受信する。制御部３３は、この接続ＰＩＮ設定要求により通知された接続ＰＩＮを、メモリ３４の認証情報３４１に登録する。そして、制御部３３は、接続ＰＩＮ設定要求に対する応答を、無線信号処理部３２に、アンテナ３１を用いて送信させる（Ｓａ１−５）。
【００４０】
そして、ステップＳａ２では、制御部１３は、メモリ１４から事前共有鍵１４１を読み出し、ステップＳａ１−４にてメモリ１４に登録した接続ＰＩＮを含む認証情報１４２を、この事前共有鍵１４１で暗号化する。
【００４１】
図７は、表示画面例Ｄ１を表示している無線通信設定装置１０の外観図である。表示画面例Ｄ１は、図５および図６のステップＳａ１における無線通信装置３０のリストを表示しているときの例である。表示画面例Ｄ１には、図７に示すように、無線通信装置３０各々のデバイス名である「Ｄｅｖｉｃｅ１」、「Ｄｅｖｉｃｅ２」…と、各々のアドレスである「ａａ：ｂｂ：ｃｃ：ｄｄ：ｅｅ：ｆｆ：００」、「１１：ｂｂ：ｃｃ：ｄｄ：ｅｅ：ｆｆ：００」…と、各々からの電波の電波強度を表すマークとが含まれている。また、過去に無線通信装置２０を通信接続させた無線通信装置３０である「Ｄｅｖｉｃｅ２」に関する情報は、強調表示されている。なお、過去に通信接続させた無線通信装置３０ではなく、現在通信接続させている無線通信装置３０を強調表示するようにしてもよい。あるいは、過去に通信接続させた無線通信装置３０と、現在通信接続させている無線通信装置３０とを、異なる表示態様で強調表示させてもよい。
【００４２】
図８は、表示画面例Ｄ２を表示している無線通信設定装置１０の外観図である。表示画面例Ｄ２は、図５および図６のステップＳａ１における無線通信装置３０のリストから、接続先の無線通信装置３０が選択されたときの例である。ユーザが「ＯＫ」を選択すると、無線通信設定装置１０は、メモリ１４に記憶されている認証情報１４２の接続ＰＩＮをそのまま用い、無線通信システム１は、図５の動作例のように動作する。また、ユーザが「接続ＰＩＮ」に値を入力して、「ＰＩＮの変更」を選択すると、無線通信設定装置１０は、入力された接続ＰＩＮを無線通信装置３０に設定し、無線通信システム１は、図６の動作例のように動作する。なお、「接続ＰＩＮ」に続いて表示されているアスタリスク「＊＊＊＊＊＊＊＊」は、メモリ１４が、接続先として選択された無線通信装置３０の接続ＰＩＮを記憶していることを示す。メモリ１４が、接続先として選択された無線通信装置３０の接続ＰＩＮを記憶していないときは、アスタリスクに代えて、空白を表示する。
【００４３】
図９、図１０は、それぞれ、表示画面例Ｄ３、Ｄ４を表示している無線通信設定装置１０の外観図である。表示画面例Ｄ３、Ｄ４は、メモリ１４に事前共有鍵１４１を登録するときの例である。例えば、ユーザが画面の右上隅の「・・・」をタップすると、制御部１３は、外部出力Ｉ／Ｆ１６に表示画面例Ｄ３のように、操作メニューＭ１を含む画面を表示させる。ユーザが操作メニューＭ１の「事前共有鍵の設定」をタップすると、制御部１３は、外部出力Ｉ／Ｆ１６に表示画面例Ｄ４のように、事前共有鍵を設定するためのダイアログを表示させる。ユーザが事前共有鍵の値を入力し、「ＯＫ」をタップすると、制御部１３は、メモリ１４に事前共有鍵１４１として記憶させる。なお、事前共有鍵の値は、例えば、無線通信装置２０の筐体、パッケージなどに予め記載されており、ユーザは、この記載されている値を読み取って、入力する。
【００４４】
図１１は、無線通信設定装置１０の動作を説明するフローチャートである。無線通信設定装置１０の制御部１３は、まず、接続先となる無線通信装置３０の設定を行うか否かを判定する（Ｓｂ１）。この設定を行うか否かは、ユーザ入力に従い判定してもよいし、このフローチャートを実現するプログラムの起動方法に基づき判定してもよい。例えば、ユーザの指定により起動されたときは、設定を行うと判定し、無線通信設定装置１０の電源投入あるいは再起動によって、自動的に起動されたときは、設定を行わないと判定する。
【００４５】
ステップＳｂ１にて設定を行わないと判定したときは（Ｓｂ１−Ｎｏ）、制御部１３は、処理を後述するステップＳｂ１３に進める。ステップＳｂ１にて設定を行うと判定したときは（Ｓｂ１−Ｙｅｓ）、制御部１３は、無線通信装置３０のリストから、ユーザ入力に従い、接続先となる無線通信装置３０を選択する（Ｓｂ２）。制御部１３は、ステップＳｂ２にて選択された無線通信装置３０の接続ＰＩＮが、メモリ１４の認証情報１４２に登録済みであるか否かを判定する（Ｓｂ３）。
【００４６】
登録済みであると判定したときは（Ｓｂ３−Ｙｅｓ）、制御部１３は、接続ＰＩＮを変更するか否かを判定する（Ｓｂ４）。例えば、図１０の表示画面例Ｄ２において、「ＰＩＮの変更」がタップされたら、接続ＰＩＮを変更すると判定し、「ＯＫ」がタップされたら、接続ＰＩＮを変更しないと判定する。ステップＳｂ４にて接続ＰＩＮを変更しないと判定したときは（Ｓｂ４−Ｎｏ）、制御部１３は、処理を後述するステップＳｂ１０に進める。ステップＳｂ４にて接続ＰＩＮを変更すると判定したときは（Ｓｂ４−Ｙｅｓ）、制御部１３は、メモリ１４から認証情報１４２を読み出し、無線信号処理部１２に、この認証情報１４２に基づき、無線通信装置３０と通信接続させる（Ｓｂ５）。制御部１３は、通信接続に成功するまで待機（Ｓｂ６）した後、無線信号処理部１２に、ユーザ入力された接続ＰＩＮへの変更要求を、無線通信装置３０に送信させる。この変更要求に対して、接続ＰＩＮの変更が終了したことを示す応答を無線信号処理部１２が受信すると、制御部１３は、無線通信装置３０との通信接続を切断させる（Ｓｂ７）。このステップＳｂ７では、制御部１３は、メモリ１４の認証情報１４２における接続ＰＩＮも、変更する。
【００４７】
ステップＳｂ３にて、接続ＰＩＮは登録済みでないと判定したときは（Ｓｂ３−Ｎｏ）、制御部１３は、ユーザ入力された接続ＰＩＮを取得し（Ｓｂ８）、ステップＳｂ２にて選択された無線通信装置３０のアドレスと、ユーザ入力された接続ＰＩＮとを、認証情報１４２として、メモリ１４に登録する（Ｓｂ９）。そして、制御部１３は、処理をステップＳｂ１０に進める。
【００４８】
ステップＳｂ１０では、制御部１３は、メモリ１４に事前共有鍵１４１が登録済みであるか否かを判定する。登録済みでないと判定したときは（Ｓｂ１０−Ｎｏ）、制御部１３は、ユーザ入力された事前共有鍵の値を取得し、ステップＳｂ１２に処理を進める。一方、登録済みであると判定したときは（Ｓｂ１０−Ｙｅｓ）、制御部１３は、ステップＳｂ１２に処理を進める。
【００４９】
ステップＳｂ１２では、制御部１３は、認証情報を事前共有鍵で暗号化する。次に、制御部１３は、暗号化した認証情報を含む報知信号を送信するか否かを判定する（Ｓｂ１３）。例えば、制御部１３は、ユーザ入力に従い、送信するか否かを判定する。送信しないと判定したときは（Ｓｂ１３−Ｎｏ）、制御部１３は、処理を終了する。送信すると判定したときは（Ｓｂ１３−Ｙｅｓ）、制御部１３は、無線信号処理部１２に、ステップＳｂ１２にて暗号化した認証情報を、一定時間の間、周期的に報知信号で送信させ（Ｓｂ１４）、処理を終了する。
【００５０】
［変形例１ａ］
以下、図面を参照して、第１の実施形態の変形例１ａについて説明する。本実施例において、無線通信システム１は、図１と同様の構成であるが、無線通信設定装置１０と、無線通信装置２０とが、それぞれ、事前共有鍵１４１、２４１に代えて、認証情報１４１ａ、２４１ａを記憶している点が異なる。なお、認証情報１４１ａは、無線通信装置２０に通信接続するための認証情報であり、例えば、無線通信装置２０のアドレス、接続ＰＩＮである。認証情報２４１ａは、無線通信装置２０に通信接続するための認証情報であり、例えば、無線通信装置２０のアドレス、接続ＰＩＮである。図１２は、本実施例における無線通信システム１の動作例を示すシーケンス図である。図１２に示すシーケンスは、図５に示すシーケンスとは、ステップＳａ３からＳａ８に代えて、ステップＳａ’３からＳａ’８を有する点が異なる。
【００５１】
ステップＳａ’３では、まず、無線通信設定装置１０の制御部１３が、メモリ１４から認証情報１４１ａを読み出す。そして、制御部１３は、無線信号処理部１２に、無線通信装置２０への接続要求を、アンテナ１１を用いて送信させる。無線通信装置２０の無線信号処理部２２は、ステップＳａ’３にて送信された接続要求を、アンテナ２１を用いて受信する。ステップＳａ’４では、無線通信装置２０の制御部２３が、無線信号処理部２２に、この接続要求に対する応答を、アンテナ２１を用いて送信させる。ステップＳａ’３の接続要求には、認証情報１４１ａが含まれる。また、ステップＳａ’４の応答には、無線通信装置２０から送信された認証情報と、メモリ２４が記憶する認証情報２４１ａとの照合結果が含まれる。この応答を、無線通信設定装置１０が受信することで、無線通信設定装置１０と無線通信装置２０とが通信接続される。
【００５２】
このように、ステップＳａ’３、Ｓａ’４では、暗号化した認証情報を送信するのではなく、無線通信設定装置１０ａと無線通信装置２０とが通信接続を行う。続いて、ステップＳａ’５とＳａ’６では無線通信設定装置１０と、ステップＳａ１で指定された無線通信装置３０とが、ステップＳａ’３、Ｓａ’４と同様にして通信接続を行う。ただし、接続要求には、認証情報１４１ａではなく、認証情報１４２が含まれ、応答には、認証情報１４２と、認証情報３４１との照合結果が含まれる。また、ステップＳａ’３と、ステップＳａ’４とよりも前に、ステップＳａ’５と、ステップＳａ’６が実施されても良い。
【００５３】
その後、ステップＳａ’７において無線通信設定装置１０と無線通信装置２０がデータの授受を行い、ステップＳａ’８において無線通信設定装置１０と無線通信装置３０がデータの授受を行う。すなわち、無線通信設定装置１０の制御部１３は、無線信号処理部１２に、無線通信装置２０から無線通信で取得したデータを、無線通信装置３０に宛てて送信させ、無線通信装置３０から無線通信で取得したデータを、無線通信装置２０に宛てて送信させる。
なお、ステップＳａ’７、Ｓａ’８では、無線通信設定装置１０は無線通信装置２０と無線通信装置３０との中継装置として動作する。また、ステップＳａ’３からＳａ’６により、無線通信装置２０と、無線通信装置３０とが、無線通信設定装置１０を介して無線通信接続しているとも言える。すなわち、無線通信設定装置１０は、無線通信装置２０から受信したデータを無線通信装置３０へ送信する。また、同様に、無線通信設定装置１０は、無線通信装置３０から受信したデータを無線通信装置２０へ送信する。従って、便宜上ステップＳａ’７の後にステップＳａ’８を記載しているが、このデータ授受は継続的に実施されるものであり、必ずしもステップＳａ‘７の後にステップＳａ’８が実施されるものではない。
また、図１２では、図５のシーケンスにおいて、ステップＳａ３からＳａ８をステップＳａ’３からＳａ’８に代える場合と示したが、図６のシーケンスにおいて、ステップＳａ３からＳａ８をステップＳａ’３からＳａ’８に代えてもよい。
【００５４】
本変形例では、無線通信設定装置１０が、無線通信装置２０と通信接続し、また、指定された無線通信装置３０とも通信接続する。そして、無線通信設定装置１０は、無線通信装置２０と無線通信装置３０との通信を中継する。
これにより、無線通信設定装置１０と比べ無線通信装置２０の無線通信性能（例えば、アンテナの利得、送信電力）が劣り、無線通信装置２０と無線通信装置３０が直接通信を行えない場合であっても、無線通信装置２０と無線通信装置３０が見かけ上直接通信できるように振る舞う事が可能となる。
【００５５】
［変形例２ａ］
以下、図面を参照して、第１の実施形態の変形例２ａについて説明する。本実施例では、通信接続システム２は、無線通信設定装置１０に代えて、無線通信装置２０との接続Ｉ／Ｆ１７を有する無線通信設定装置１０ａを含む。図１３は、無線通信設定装置１０ａの構成を示す概略ブロック図である。無線通信設定装置１０ａは、接続Ｉ／Ｆ１７を有する点が無線通信設定装置１０と異なる。接続Ｉ／Ｆ１７は、ＳＤカード（ＳＤメモリーカードともいう）スロット、ＳＩＭ（Subscriber Identity Module）カード（ＵＳＩＭ（Universal Subscriber Identity Module）カード、ＵＩＭ（User Identity Module）カードともいう）スロットなどの無線通信装置２０を有線接続する接触式のＩ／Ｆである。
【００５６】
接続Ｉ／Ｆ１７により、無線通信装置２０と、制御部１３とは通信可能に接続される。また、接続Ｉ／Ｆ１７を介して、無線通信装置２０を動作させるための電力が供給される。例えば、無線通信設定装置１０は、スマートフォンであり、接続Ｉ／Ｆ１７に接続された無線通信装置２０は、無線通信設定装置１０の筐体内に入るようになっていてもよい。
【００５７】
図１４は、本変形例における無線通信システム１の動作例を示すシーケンス図である。図１４に示すシーケンスは、図５のシーケンスとは、ステップＳａ２とＳａ３の間に、ステップＳａ２−１、Ｓａ２−２を有する点が異なる。ステップＳａ２−１は、ユーザによる無線通信設定装置１０ａの再起動である。なお、再起動ではなく、一旦電源を切って、時間をおいてからの起動であってもよい。無線通信装置２０は、接続Ｉ／Ｆ１７から電力の供給を受けているので、無線通信設定装置１０ａの再起動あるいは起動に伴い、無線通信装置２０も再起動あるいは起動する。なお、ステップＳａ２−１において、制御部１３は、ユーザに再起動を促すためのメッセージを外部出力Ｉ／Ｆ１６に表示させたり、ユーザに再起動することを通知した後、所定の時間が経過したら無線通信設定装置１０ａを再起動させたりしてもよい。
【００５８】
無線通信装置２０が再起動あるいは起動されると、無線通信装置２０の制御部２３は、無線信号処理部２２に、予め決められた報知信号を送信させる（Ｓａ２−２）。無線通信設定装置１０ａの無線信号処理部１２がステップＳａ２−１にて送信された報知信号を受信すると、制御部１３は、ステップＳａ３の報知信号の送信を、無線信号処理部１２に行わせる。
【００５９】
接続Ｉ／Ｆ１７は、例えば、ＳＩＭカードスロットなどであれば、無線通信設定装置１０ａの再起動後あるいは起動後には、接続されている機器に電力を供給する。そして、接続Ｉ／Ｆ１７は、接続されている機器を認識するためのメッセージを送信し、そのメッセージに対する応答が正当なものであれば、電力を供給し続ける。しかし、接続Ｉ／Ｆ１７は、メッセージに対する応答が、一定時間の間になかったり、応答が不当なものであったりすると、電力の供給を中止する。
【００６０】
本変形例では、無線通信装置２０は、接続Ｉ／Ｆ１７からのメッセージに対して、正当な応答を返すには、無線通信装置３０とのデータ（例えば、無線通信装置３０のＩＤ）の授受が必要である。上述のように、無線通信装置２０が、再起動されたときに、予め決められた報知信号を送信することで、ステップＳａ３からステップＳａ８の動作が行われて、無線通信装置２０は、無線通信装置３０とのデータの授受が可能となる。これにより、無線通信装置２０は、接続Ｉ／Ｆ１７からのメッセージに対して、正当な応答を返し、電力の供給を受け続けることができる。
【００６１】
なお、図１４では、図５のシーケンスにステップＳａ２−１、Ｓａ２−２が追加される場合を示したが、図６のシーケンスにステップＳａ２−１、Ｓａ２−２が追加されてもよい。
また、本変形例においても、無線通信設定装置１０ａは、図１１のフローチャートに従い動作するが、ステップＳｂ１３の報知信号を送信するか否かの判定では、無線通信装置２０から所定の報知信号を受信したときに、報知信号を送信すると判定する。
【００６２】
［変形例３ａ］
以下、図面を参照して、第１の実施形態の変形例３ａについて説明する。本実施例において、無線通信システム１は、変形例２ａと同様の構成であるが、無線通信設定装置１０ａと、無線通信装置２０とが、それぞれ、事前共有鍵１４１、２４１に代えて、認証情報１４１ａ、２４１ａを記憶している点が異なる。図１５は、本変形例における無線通信システム１の動作例を示すシーケンス図である。図１５に示すシーケンスは、図１４のシーケンスとは、ステップＳａ２、Ｓａ３からＳａ８に代わり、ステップＳａ’３からＳａ’８を有する点が異なる。これら、ステップＳａ’３からＳａ’８は、図１２におけるステップＳａ’３からＳａ’８と同様である。したがって、変形例１ａと同様に、ステップＳａ’７、Ｓａ’８では、無線通信設定装置１０ａは無線通信装置２０と無線通信装置３０との中継装置として動作する。また、ステップＳａ’３からＳａ’６により、無線通信装置２０と、無線通信装置３０とが、無線通信設定装置１０ａを介して無線通信接続していると言える。
【００６３】
これにより、無線通信設定装置１０ａと比べ無線通信装置２０の無線通信性能（例えば、アンテナの利得、送信電力）が劣り、無線通信装置２０と無線通信装置３０が直接通信を行えない場合であっても、無線通信装置２０と無線通信装置３０が見かけ上直接通信できるように振る舞う事が可能となる。なお、アンテナの利得が劣る場合としては、例えば、無線通信装置２０がＳＩＭカード、ｍｉｃｒｏＳＩＭカード、ｎａｎｏＳＩＭカードなどに格納されており、サイズが小さいために、十分な大きさのアンテナを有することができない場合がある。
【００６４】
例えば、ステップＳａ’７、Ｓａ’８において、無線通信装置２０の制御部２３が、接続Ｉ／Ｆ１７を介して、無線通信設定装置１０ａから取得したデータ（コマンド、レスポンスなどを含む）が、無線通信設定装置１０ａを介して、無線通信装置３０に伝達され、無線通信装置３０が伝達されたデータに応じて生成したデータが、無線通信設定装置１０ａを介して、無線通信装置２０に伝達されてもよい。そして、無線通信装置２０は、伝達されてきた無線通信装置３０が生成したデータを、接続Ｉ／Ｆ１７を介して、無線通信設定装置１０ａに送信することで、無線通信設定装置１０ａにとって、接続Ｉ／Ｆ１７に無線通信装置３０が接続されているのと同等の状態とすることができる。これは、無線通信設定装置１０ａにおいて、無線信号処理部１２による通信は、変更が容易なアプリケーションからも制御が可能であり、接続Ｉ／Ｆ１７を介した無線通信装置２０との通信は、変更が煩雑であるＯＳ（Operating System）からのみ制御が可能である場合にも、アプリケーションの変更のみで無線通信設定装置１０ａに実装できるため、望ましい。
【００６５】
［変形例４ａ］
以下、図面を参照して、第１の実施形態の変形例４ａについて説明する。本実施例では、通信接続システム２は、無線通信設定装置１０に代えて、無線線通信装置２０を内蔵する無線通信設定装置１０ｂを含む。図１６は、無線通信設定装置１０ｂの構成を示す概略ブロック図である。図１６に示す様に、無線通信設定装置１０ｂは、無線通信装置２０を含み、無線通信装置２０は、制御部１３に接続されている。
本変形例における無線通信システム１は、第１の実施形態と同様に動作してもよいし、変形例１ａ、２ａ、３ａと同様に動作してもよい。
【００６６】
［第２の実施形態］
以下、図面を参照して、本発明の第２の実施形態について説明する。本実施形態における無線通信システム１は、図１の無線通信システム１と同様の構成であるが、動作が異なる。図１７は、本実施形態における無線通信システム１の動作例を示すシーケンス図である。図１７に示す動作例では、まず、無線通信設定装置１０の制御部１３が、無線通信装置３０のリストを外部出力Ｉ／Ｆ１６に表示する。そして、外部入力Ｉ／Ｆ１５が、そのリストの中から無線通信装置２０を通信接続させる無線通信装置３０を指定する、ユーザによる操作入力を取得すると、制御部１３は、指定された無線通信装置３０の認証情報１４２をメモリ１４から読み出す（Ｓｃ１）。
【００６７】
次に、制御部１３は、無線信号処理部１２に、無線通信装置３０への接続要求を、アンテナ１１を用いて送信させる（Ｓｃ２）。無線通信装置３０の無線信号処理部３２は、ステップＳｃ２にて送信された接続要求を、アンテナ３１を用いて受信する。制御部３３は、無線信号処理部３２に、この接続要求に対する応答を、アンテナ３１を用いて送信させる（Ｓｃ３）。この後、無線通信設定装置１０と無線通信装置３０との間で、通信接続するための複数の信号の授受を行う（Ｓｃ４）。このとき無線通信設定装置１０から送信される信号には、ステップＳｃ１にて読み出された認証情報１４２が含まれる。また、無線通信装置３０から送信される信号には、無線通信設定装置１０から送信された認証情報１４２と、メモリ３４が記憶する認証情報３４１との照合結果が含まれる。
【００６８】
無線通信設定装置１０と無線通信装置３０との間で通信接続が成立すると、制御部１３は、外部入力Ｉ／Ｆ１５により入力された情報を、接続ＰＩＮとして設定する接続ＰＩＮ設定要求を、無線信号処理部１２にアンテナ１１を用いて送信させる（Ｓｃ５）。制御部１３は、この接続ＰＩＮを、メモリ１４の認証情報１４２にも登録する。
【００６９】
無線通信装置３０の無線信号処理部３２は、ステップＳｃ５にて送信された接続ＰＩＮ設定要求を、アンテナ３１を用いて受信する。制御部３３は、この接続ＰＩＮ設定要求により通知された接続ＰＩＮを、メモリ３４の認証情報３４１に登録する。そして、制御部３３は、接続ＰＩＮ設定要求に対する応答を、無線信号処理部３２に、アンテナ３１を用いて送信させる（Ｓｃ６）。
【００７０】
次に、制御部１３は、メモリ１４から事前共有鍵１４１を読み出し、ステップＳｃ５にて送信した接続ＰＩＮと無線通信装置３０のアドレスとを含む認証情報を、この事前共有鍵１４１で暗号化する（Ｓｃ７）。制御部１３は、ステップＳｃ７にて暗号化された認証情報を、無線信号処理部１２にアンテナ１１を用いて送信させる（Ｓｃ８）。無線通信装置３０の無線信号処理部３２は、ステップＳｃ８にて送信された、暗号化された認証情報を、アンテナ３１を用いて受信する。そして、制御部３３は、暗号化された認証情報を受信したことを示す応答を、無線信号処理部３２に、アンテナ３１を用いて送信させる（Ｓｃ９）。
【００７１】
また、制御部３３は、無線信号処理部１２に、この暗号化された認証情報を報知信号として送信させる（Ｓｃ１０）。無線通信装置２０の無線信号処理部２２は、アンテナ２１を用いて、ステップＳｃ１０にて送信された報知信号を受信する。すると、制御部２３は、メモリ２４から事前共有鍵２４１を読み出し、受信した報知信号に含まれる、暗号化された認証情報を、読み出した事前共有鍵２４１にて復号する（Ｓｃ１１）。
【００７２】
制御部２３は、復号した認証情報に含まれるアドレスに宛てた接続要求、すなわち無線通信装置３０に対する接続要求を、無線信号処理部２２に送信させる（Ｓｃ１２）。無線通信装置３０の無線信号処理部３２は、ステップＳｃ１２にて送信された接続要求を、アンテナ３１を用いて受信する。制御部３３は、無線信号処理部３２に、この接続要求に対する応答を、アンテナ３１を用いて送信させる（Ｓｃ１３）。この後、無線通信装置２０と無線通信装置３０との間で、通信接続するための複数の信号の授受を行う（Ｓｃ１４）。このとき無線通信装置２０から送信される信号には、ステップＳｃ１１にて復号された認証情報が含まれる。また、無線通信装置３０から送信される信号には、無線通信装置２０から送信された認証情報と、メモリ３４が記憶する認証情報３４１との照合結果が含まれる。無線通信装置２０と無線通信装置３０との間で、通信接続が成立すると、無線通信装置２０と無線通信装置３０との間でデータの授受が行われる（Ｓｃ１５）。
【００７３】
なお、図１７では、ステップＳｃ５、Ｓｃ６により、無線通信装置３０の接続ＰＩＮを設定（変更）する場合の例を示した。しかし、接続ＰＩＮを設定せず、ステップＳｃ１にてメモリ１４から読み出した認証情報１４２に含まれる接続ＰＩＮを、ステップＳｃ７以降で用いてもよい。
【００７４】
［変形例１ｂ］
以下、図面を参照して、本発明の第２の実施形態の変形例１ｂについて説明する。本変形例における無線通信システム１は、図１の無線通信システム１と同様の構成であるが、図１７とは動作が異なる。図１８は、本変形例における無線通信システム１の動作例を示すシーケンス図である。図１８におけるシーケンス図は、ステップＳｃ９とＳｃ１０の間に、ステップＳｃ９−１を有する点が、図１７とは異なる。ステップＳｃ９−１では、無線通信装置２０が、無線通信装置３０に対して報知信号を要求する報知信号を送信する。なお、無線通信設定装置１０ではなく、無線通信設定装置１０ａであり、ステップＳｃ９−１の前に、図１４のＳａ２−２の前と同様に、無線通信設定装置１０ａが再起動され、無線通信装置２０は、再起動されるとステップＳｃ９−１を行うように構成されていてもよい。
【００７５】
［変形例２ｂ］
以下、図面を参照して、本発明の第２の実施形態の変形例２ｂについて説明する。本実施形態における無線通信システム１は、図１の無線通信システム１と同様の構成であるが、第２の実施形態とは動作が異なる。図１９は、本変形例における無線通信システム１の動作例を示すシーケンス図である。図１９におけるシーケンス図は、ステップＳｃ７からＳｃ９に代えて、ステップＳｄ７からＳｄ９を有する点が、図１７とは異なる。
【００７６】
ステップＳｄ７では、無線通信設定装置１０の制御部１３は、メモリ１４から事前共有鍵１４１を読み出し、読み出した事前共有鍵を無線信号処理部１２に、アンテナ１１を用いて送信させる。無線通信装置３０の無線信号処理部３２は、この事前共有鍵を、アンテナ３１を用いて受信する。次に、ステップＳｄ８では、制御部３３は、事前共有鍵を受信したことを示す応答を、無線信号処理部３２に、アンテナ３１を用いて送信させる。次に、ステップＳｄ９では、制御部３３は、メモリ３４から認証情報３４１を読み出し、受信した事前共有鍵を用いて暗号化する。
【００７７】
そして、ステップＳｃ１０では、ステップＳｄ９にて暗号化された認証情報が送信される。
なお、本変形例においても、図１８のステップＳｃ９−１が、ステップＳｄ９の前、もしくは、後に挿入されていてもよい。
【００７８】
このように、各実施形態において、無線通信装置２０は、報知信号により送信された認証情報を受信し、その認証情報を用いて無線通信装置３０と通信接続する。すなわち、無線通信装置３０と通信接続する前に他の装置と通信接続する必要がない。これにより、無線通信装置２０、３０同士の通信接続に要する時間を短くすることができる。
【００７９】
このように、各実施形態において、無線通信装置２０は、無線通信設定装置１０と共有する事前共有鍵報知信号により暗号化された認証情報を受信し、その認証情報を用いて無線通信装置３０と通信接続する。これにより、指向性の弱い無線通信を用いる場合でも、無線通信装置３０に通信接続するための認証情報が、他の装置により取得されてしまう危険性を下げて、この認証情報を無線通信装置２０に伝達し、無線通信装置２０、３０同士を通信接続させることができる。
【００８０】
また、図１における無線通信設定装置１０、無線通信装置２０、無線通信装置３０、図１３の無線通信設定装置１０ａ、あるいは図１６の無線通信設定装置１０ｂの機能を実現するためのプログラムをコンピュータ読み取り可能な記録媒体に記録して、この記録媒体に記録されたプログラムをコンピュータシステムに読み込ませ、実行することにより各装置を実現してもよい。なお、ここでいう「コンピュータシステム」とは、ＯＳや周辺機器等のハードウェアを含むものとする。
【００８１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８２】
また、上述した図１における無線通信設定装置１０、無線通信装置２０、無線通信装置３０、図１３の無線通信設定装置１０ａ、あるいは図１６の無線通信設定装置１０ｂの各機能ブロックは個別にチップ化してもよいし、一部、または全部を集積してチップ化してもよい。また、集積回路化の手法はＬＳＩに限らず、専用回路、または汎用プロセッサで実現しても良い。ハイブリッド、モノリシックのいずれでも良い。一部は、ハードウェアにより、一部はソフトウェアにより機能を実現させても良い。
また、半導体技術の進歩により、ＬＳＩに代替する集積回路化等の技術が出現した場合、当該技術による集積回路を用いることも可能である。
【００８３】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００８４】
１…無線通信システム
２…通信接続システム
１０、１０ａ、１０ｂ…無線通信設定装置
１１…アンテナ
１２…無線信号処理部
１３…制御部
１４…メモリ
１５…外部入力Ｉ／Ｆ
１６…外部出力Ｉ／Ｆ
１７…接続Ｉ／Ｆ
２０…無線通信装置
２１…アンテナ
２２…無線信号処理部
２３…制御部
２４…メモリ
３０…無線通信装置
３１…アンテナ
３２…無線信号処理部
３３…制御部
３４…メモリ
１４１…事前共有鍵
１４２…認証情報
２４１…事前共有鍵
３４１…認証情報
【図１】
0006421921.tif 000002
【図２】
0006421921.tif 000003
【図３】
0006421921.tif 000004
【図４】
0006421921.tif 000005
【図５】
0006421921.tif 000006
【図６】
0006421921.tif 000007
【図７】
0006421921.tif 000008
【図８】
0006421921.tif 000009
【図９】
0006421921.tif 000010
【図１０】
0006421921.tif 000011
【図１１】
0006421921.tif 000012
【図１２】
0006421921.tif 000013
【図１３】
0006421921.tif 000014
【図１４】
0006421921.tif 000015
【図１５】
0006421921.tif 000016
【図１６】
0006421921.tif 000017
【図１７】
0006421921.tif 000018
【図１８】
0006421921.tif 000019
【図１９】
0006421921.tif 000020